(57)【要約】【課題】データバスに課せられた帯域制限に制約されることなく、素材サーバからのビデオ素材データの転送を高速化することができ、これによってネットワーク資源を有効活用することを可能とする。【解決手段】ビデオサーバ１のＣＰＵ１１は、ネットワークＩ／Ｆ１４とデータバス１３との間に緩衝用メモリとなる転送用バッファ１０を設ける。ＣＰＵ１１は、素材サーバ２から高速ネットワークを介して到来する素材ファイルをネットワークＩ／Ｆ１４により受信すると、受信した素材ファイルを転送用バッファ１０に一時的に格納させる。そして、転送用バッファ１０に格納された素材ファイルを帯域制限が課せられたデータバス１３を介して素材ファイルストレージ１６に転送する。【選択図】      図１
2007049557.tif 000002
【特許請求の範囲】
【請求項１】
複数の入出力チャンネルが接続され、前記各チャンネルに対しそれぞれ第１の転送帯域が確保されるデータバスを備えるビデオサーバであって、
素材サーバから前記第１の転送帯域より広帯域の第２の転送帯域による伝送路により転送されるビデオ素材データを入力する入力インタフェースと、
前記ビデオ素材データを一時的に格納するバッファと、
前記バッファに格納されたビデオ素材データを前記データバスを介して前記第１の転送帯域によりデータ記憶部に転送する転送手段と
を具備することを特徴とするビデオサーバ。
【請求項２】
複数の入出力チャンネルが接続され、前記各チャンネルに対しそれぞれ第１の転送帯域が確保されるデータバスを備えるビデオサーバに用いられ、
素材サーバから前記第１の転送帯域より広帯域の第２の転送帯域による伝送路により転送されるビデオ素材データを入力するステップと、
前記ビデオ素材データを一時的に格納するバッファに格納するステップと、
前記バッファに格納されたビデオ素材データを前記データバスを介して前記第１の転送帯域によりデータ記憶部に転送するステップと
を具備することを特徴とするデータ転送方法。
【発明の詳細な説明】
【技術分野】
【０００１】
この発明は、多チャンネルの同時入出力動作を行うビデオサーバ及びデータ転送方法に関する。
【背景技術】
【０００２】
放送局内の多入出力のビデオサーバは、オンエア映像のビデオストリームを途切れなく送出するために、各入出力のインタフェース（以下、Ｉ／Ｆ）毎に帯域制限を設け、ビデオサーバ全体として同時に各Ｉ／Ｆを動作させても最大利用帯域を超えない仕組みとなっている。例えば、１Ｇｂｐｓの処理能力があるビデオサーバ装置で、同時に独立した１０入力１０出力を実現するためには、１入力（又は１出力）あたり、５０Ｍｂｐｓ（＝１Ｇｂｐｓ／２０）以下の帯域で使用する必要がある。そのために、外部でビデオ素材データを保持しているサーバ（以下、素材サーバ）からビデオサーバへ素材データを転送するためには、ネットワークの高速化が進んでいるにも拘わらず、この帯域制限（５０Ｍｂｐｓ）内の転送レートでデータ転送を行っている。
【０００３】
また、従来技術として、ゲートウェイ装置にキャッシュメモリを設け、中継する伝送帯域が異なる場合でも、伝送帯域とキャッシュメモリとを統合制御して割り当てることにより、伝送ギャップを低減させる手法が提案されている（例えば、特許文献１を参照。）。
【特許文献１】特開２００２−８４３２５公報
【発明の開示】
【発明が解決しようとする課題】
【０００４】
しかしながら、多入出力送出ビデオサーバでは、ビデオストリームの帯域が確保できないと映像が途切れてしまうため、帯域確保は必須条件である。このため、各入出力チャネルが確実に動作できるように帯域制限が設けられている。この帯域制限によって、素材サーバは限られた帯域内で素材データを送らざるを得ず、ビデオサーバとの間のネットワーク回線を長時間占有していた。
【０００５】
この発明は上記事情に着目してなされたもので、その目的とするところは、データバスに課せられた帯域制限に制約されることなく、素材サーバからのビデオ素材データの転送を高速化することができ、これによってネットワーク資源を有効活用することを可能とするビデオサーバ及びデータ転送方法を提供することにある。
【課題を解決するための手段】
【０００６】
上記目的を達成するためにこの発明に係わるビデオサーバ及びデータ転送方法は、複数の入出力チャンネルが接続され、前記各チャンネルに対しそれぞれ第１の転送帯域が確保されるデータバスを備えるビデオサーバであって、素材サーバから前記第１の転送帯域より広帯域の第２の転送帯域による伝送路により転送されるビデオ素材データを入力する入力インタフェースと、前記ビデオ素材データを一時的に格納するバッファと、前記バッファに格納されたビデオ素材データを前記データバスを介して前記第１の転送帯域によりデータ記憶部に転送する転送手段とを具備するものである。
【０００７】
上記構成によるビデオサーバ及びデータ転送方法では、素材サーバから広帯域の伝送路を介して転送される素材データを一時的にバッファに格納したのちに、帯域制限が設けられているデータバスを介して上記バッファからデータ記憶部に素材データを転送するようにしている。このようにすると、データバスに課せられた帯域制限に制約されることなく、素材サーバからのビデオ素材データの転送を高速化することができ、これにより、素材データとビデオサーバとの間のネットワーク回線の占有時間を短縮することが可能となる。
【発明の効果】
【０００８】
したがってこの発明によれば、データバスに課せられた帯域制限に制約されることなく、素材サーバからのビデオ素材データの転送を高速化することができ、これによってネットワーク資源を有効活用することを可能とするビデオサーバ及びデータ転送方法を提供することができる。
【発明を実施するための最良の形態】
【０００９】
以下、図面を参照しながら本発明の実施の形態を詳細に説明する。  
図１は、この発明に係わるビデオサーバの一実施形態を示すブロック構成図である。  
ビデオサーバ１は、中央処理ユニット（ＣＰＵ：Central Processing Unit）１１を備え、このＣＰＵ１１に制御バス１２を介して、エンコーダ１５１，１５２と、素材ファイルストレージ１６と、デコーダ１７１，１７２と、入力インタフェース（入力Ｉ／Ｆ）１８１，１８２と、出力インタフェース（出力Ｉ／Ｆ）１９１，１９２とが接続される。さらに、ＣＰＵ１１には、制御バス１２を介してネットワークインタフェース（ネットワークＩ／Ｆ）１４と転送用バッファ１０とが接続される。
【００１０】
ネットワークＩ／Ｆ１４は、ＣＰＵ１１の制御の下で、素材サーバ２から供給される素材ファイルの入力インタフェースとして動作する。ネットワークＩ／Ｆ１４は、例えば、ギガビットイーサネット（登録商標）インタフェースで構成され、素材サーバ２とネットワークＩ／Ｆ１４との間は、高速ネットワーク（広帯域伝送路）を介して接続されている。転送用バッファ１０は、ネットワークＩ／Ｆ１４とデータバス１３との間に設けられる緩衝用メモリである。素材ファイルは、所定のフォーマットで生成された映像・音声データ等であり、転送用バッファ１０に一時的に格納されたのち、帯域制限が課せられたデータバス１３を介して素材ファイルストレージ１６に格納される。
【００１１】
ビデオサーバ１において、ＣＰＵ１１は、入力Ｉ／Ｆ１８１，１８２を介してエンコーダ１５１，１５２に圧縮対象の映像データが到来したことを検知すると、エンコーダ１５１，１５２に制御信号を送出する。この制御信号を受けて、エンコーダ１５１，１５２は、所定の圧縮方式（例えば、ＭＰＥＧ（Moving Picture Experts Group））で上記映像データを圧縮符号化し、生成した圧縮データを素材ファイルとして素材ファイルストレージ１６に記憶させる。
【００１２】
また、ＣＰＵ１１は、素材ファイルストレージ１６から素材ファイルを読み出し、読み出した素材ファイルをデコーダ１７１，１７２により復号する。そして、復号された映像データを出力Ｉ／Ｆ１９１，１９２を介して出力する。なお、これらの入出力チャンネル、すなわち、入力Ｉ／Ｆ１８１，１８２、出力Ｉ／Ｆ１９１，１９２及び上記ネットワークＩ／Ｆ１４には、同時に独立して動作できるように帯域制限が設けられ、データバス１３の所定の転送帯域がそれぞれ割り当てられている。
【００１３】
次に、このように構成されるビデオサーバ１における素材ファイルの転送処理について説明する。図２は、ビデオサーバ１における素材ファイルの転送処理の手順とその内容を示すフローチャートである。  
ステップＳ２１において、ビデオサーバ１のＣＰＵ１１は、素材サーバ２から高速ネットワークを介して到来する素材ファイルをネットワークＩ／Ｆ１４により受信すると、ステップＳ２２により、受信した素材ファイルを転送用バッファ１０に一時的に格納させる。そして、ステップＳ２３において、ＣＰＵ１１は、帯域制限が課せられたデータバス１３を介して、転送用バッファ１０から素材ファイルストレージ１６に素材ファイルを転送する。
【００１４】
以上述べたように上記実施形態では、ビデオサーバ１のＣＰＵ１１は、ネットワークＩ／Ｆ１４とデータバス１３との間に緩衝用メモリとなる転送用バッファ１０を設ける。ＣＰＵ１１は、素材サーバ２から高速ネットワークを介して到来する素材ファイルをネットワークＩ／Ｆ１４により受信すると、受信した素材ファイルを転送用バッファ１０に一時的に格納させる。そして、転送用バッファ１０に格納された素材ファイルを帯域制限が課せられたデータバス１３を介して素材ファイルストレージ１６に転送するようにしている。
【００１５】
これにより、データバスに課せられた帯域制限に制約されることなく、素材サーバ２からのビデオ素材データの転送を高速化することができる。このため、素材サーバ２とビデオサーバ１との間のネットワーク回線の占有時間を短縮し、ネットワーク資源を有効活用することが可能となる。
【００１６】
なお、この発明のビデオサーバは、図１に示す構成に限定されるものではなく、例えば、エンコーダ及びデコーダの数は、任意に変更可能である。また、素材ファイルの転送処理の手順とその内容についてもこの発明の要旨を逸脱しない範囲で種々変更して実施できる。
【００１７】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００１８】
【図１】この発明に係わるビデオサーバの一実施形態を示すブロック図。
【図２】図１に示すビデオサーバにおける素材ファイルの転送処理の手順とその内容を示すフローチャート。
【符号の説明】
【００１９】
１…ビデオサーバ、１１…ＣＰＵ、１２…制御バス、１３…データ送信バス、１４…ネットワークインタフェース、１５１，１５２…エンコーダ、１６…素材ファイルストレージ、１７１，１７２…デコーダ、１８１，１８２…入力インタフェース、１９１，１９２…出力インタフェース、１０…転送用バッファ、２…素材サーバ。
【図１】
2007049557.tif 000003
【図２】
2007049557.tif 000004